(57)【要約】【課題】エラー時に使用不能な処理ユニットへの電力供給を抑制できる画像形成装置を提供する。【解決手段】画像形成装置１は、処理ユニット４０，５０，６０の各々に電力を供給するメイン電源部２２と、メイン電源部２２の電力供給動作を制御する給電制御部３１と、処理ユニット４０，５０，６０のエラー状態と複数種の省電力制御処理との間の対応関係を定めるテーブルデータが記憶されているテーブル記憶部３４Ｔとを備える。給電制御部３１は、処理ユニット４０，５０，６０のエラー状態に応じて、前記テーブルデータを参照して複数種の省電力制御処理の中からエラー対応処理を選択し、このエラー対応処理に従ってエラー発生ユニットへの電力供給を制限する。【選択図】図１
2015041841.tif 000002
【特許請求の範囲】
【請求項１】
電力供給を受けて動作する複数の処理ユニットを備えた画像形成装置であって、
前記複数の処理ユニットの各々に電力を供給するメイン電源部と、
前記メイン電源部の電力供給動作を制御する給電制御部と、
前記複数の処理ユニットのエラー状態と予め決められた複数種の省電力制御処理との間の対応関係を定めるテーブルデータが記憶されているテーブル記憶部と
を備え、
前記複数の処理ユニットの各々は、当該各々の処理ユニットのエラー状態を検出する状態検出部を含み、
前記給電制御部は、前記エラー状態に応じて、前記テーブルデータを参照して前記複数種の省電力制御処理の中からエラー対応処理を選択し、前記エラー対応処理に従って、前記複数の処理ユニットのうち前記エラー状態が検出されたエラー発生ユニットへの電力供給を制限する
ことを特徴とする画像形成装置。
【請求項２】
請求項１に記載の画像形成装置であって、前記給電制御部は、前記メイン電源部から前記複数の処理ユニットへの給電を個別に且つ独立したタイミングで制御することを特徴とする画像形成装置。
【請求項３】
請求項１または２に記載の画像形成装置であって、前記給電制御部は、前記エラー状態の検出後、当該画像形成装置への電源再投入に応じて当該エラー状態が解除されているか否かを判定し、当該エラー状態が解除されていないと判定した場合に前記エラー対応処理を選択し、前記エラー対応処理に従って前記エラー発生ユニットへの電力供給を制限することを特徴とする画像形成装置。
【請求項４】
請求項３に記載の画像形成装置であって、前記給電制御部は、前記電源再投入に応じて前記エラー状態が解除されていないと判定した場合、前記エラー対応処理に従い、電力供給を受けた当該エラー発生ユニットに初期動作を実行させ、前記初期動作の実行後、前記エラー発生ユニットのエラー状態が検出されたときに前記エラー発生ユニットへの電力供給を制限することを特徴とする画像形成装置。
【請求項５】
請求項４に記載の画像形成装置であって、前記エラー対応処理は、前記複数種の省電力制御処理の中から、前記初期動作により解消する可能性のあるエラー状態に対して選択される処理であることを特徴とする画像形成装置。
【請求項６】
請求項３に記載の画像形成装置であって、前記給電制御部は、前記電源再投入に応じて前記エラー状態が解除されていないと判定した場合、前記エラー対応処理に従い、電力供給を受けた当該エラー発生ユニットのエラー状態が検出されたときに前記エラー発生ユニットへの電力供給を制限することを特徴とする画像形成装置。
【請求項７】
請求項６に記載の画像形成装置であって、前記エラー対応処理は、前記複数種の省電力制御処理の中から、オペレータの介入により解消する可能性のあるエラー状態に対して選択される処理であることを特徴とする画像形成装置。
【請求項８】
請求項３に記載の画像形成装置であって、前記給電制御部は、前記電源再投入に応じて前記エラー状態が解除されていないと判定した場合、前記エラー対応処理に従い、当該エラー発生ユニットへ電力を供給しないことを特徴とする画像形成装置。
【請求項９】
請求項３に記載の画像形成装置であって、
前記複数の処理ユニットのうちの少なくとも１つの処理ユニットは、当該少なくとも１つの処理ユニットを構成する機能モジュールに割り当てられた識別子情報を記憶する識別タグを含み、
前記給電制御部は、前記エラー状態の検出後、前記電源再投入に応じて前記エラー状態が解除されていないと判定したとき、当該選択されたエラー対応処理に従い、前記エラー発生ユニットの当該機能モジュールに割り当てられた識別子情報が変化したか否かを判定し、当該識別子情報が変化しないと判定したときには前記機能モジュールへの電力供給を制限する
ことを特徴とする画像形成装置。
【請求項１０】
請求項８または９に記載の画像形成装置であって、前記エラー対応処理は、前記複数種の省電力制御処理の中から、修理または部品交換により解消する可能性のあるエラー状態に対して選択される処理であることを特徴とする画像形成装置。
【請求項１１】
請求項１から８のうちのいずれか１項に記載の画像形成装置であって、
前記複数の処理ユニットのうち少なくとも１つの処理ユニットは、各々が電力供給を受けて動作する複数の機能モジュールを含み、
前記状態検出部は、前記複数の機能モジュールの各機能モジュール毎に前記エラー状態を検出し、
前記給電制御部は、前記エラー状態が生じた当該機能モジュールへの電力供給を遮断することで前記エラー発生ユニットへの電力供給を制限する
ことを特徴とする画像形成装置。
【請求項１２】
請求項１から１１のうちのいずれか１項に記載の画像形成装置であって、
前記状態検出部で検出されたエラー状態を示すエラー情報を記憶するエラー情報記憶部をさらに備え、
前記エラー状態が解消されたとき、前記エラー情報は消去される
ことを特徴とする画像形成装置。
【請求項１３】
請求項１から１２のうちのいずれか１項に記載の画像形成装置であって、
外部通信装置に情報を送信する通信インタフェース部をさらに備え、
前記給電制御部は、前記エラー発生ユニットへの電力供給を制限するときに当該エラー状態を示す障害情報を生成し、
前記通信インタフェース部は、前記障害情報を前記外部通信装置に送信する
ことを特徴とする画像形成装置。
【請求項１４】
請求項１３に記載の画像形成装置であって、
前記外部通信装置は、電子メールサーバ機能を有し、
前記通信インタフェース部は、予め登録された通信装置に割り当てられた宛先アドレスと前記障害情報とを含む電子メールを前記外部通信装置に送信する
ことを特徴とする画像形成装置。
【請求項１５】
請求項１から１４のうちのいずれか１項に記載の画像形成装置であって、
オペレータによる操作入力を受け付けるコントロールパネルをさらに備え、
前記コントロールパネルは、前記複数の処理ユニットの機能の使用可否を示す操作画面を表示する表示モジュールを含む
ことを特徴とする画像形成装置。
【請求項１６】
請求項１から１５のうちのいずれか１項に記載の画像形成装置であって、前記複数の処理ユニットは、印刷データで表される画像を媒体上に形成する印刷ユニットと、原稿の表面を光学的に撮像して当該原稿から画像を読み取る画像読み取りユニットとを含むことを特徴とする画像形成装置。
【発明の詳細な説明】
【技術分野】
【０００１】
本発明は、省電力機能を有する画像形成装置に関するものである。
【背景技術】
【０００２】
プリンタ、複写機もしくはファクシミリ機器などの画像形成装置の中には、印刷状態または待機状態のときの通常の動作モード（通常モード）と、消費電力抑制のための動作モード（省電力モード）という２種類の動作モードを有するものが存在する。たとえば、特開２０１２−１３８９０号公報（特許文献１）に開示されている画像形成装置は、通常モードで動作中に待機時間が所定時間を超えると、動作モードを通常モードから省電力モードへ移行させる機能を有している。
【先行技術文献】
【特許文献】
【０００３】
【特許文献１】特開２０１２−１３８９０号公報（たとえば、図２，図４及び段落００１２，００１３，００３６）
【発明の概要】
【発明が解決しようとする課題】
【０００４】
しかしながら、従来の画像形成装置は省電力モードで動作することができても、その省電力効果が十分では無く、更なる省電力化が強く求められている。たとえば、搬送経路中の用紙の詰まり（ジャム）もしくはトナー不足などのエラーが発生したとき、当該エラーが未だ解除されていない状態の画像形成装置に対して電源の再投入が行われると、画像形成装置において当該エラー時に使用不能な処理ユニットに無駄な電力が供給され続けるという問題がある。
【０００５】
上記に鑑みて本発明の目的は、エラー時に使用不能な処理ユニットへの電力供給を抑制することができる画像形成装置を提供することである。
【課題を解決するための手段】
【０００６】
本発明の一態様による画像形成装置は、電力供給を受けて動作する複数の処理ユニットを備えた画像形成装置であって、前記複数の処理ユニットの各々に電力を供給するメイン電源部と、前記メイン電源部の電力供給動作を制御する給電制御部と、前記複数の処理ユニットのエラー状態と予め決められた複数種の省電力制御処理との間の対応関係を定めるテーブルデータが記憶されているテーブル記憶部とを備え、前記複数の処理ユニットの各々は、当該各々の処理ユニットのエラー状態を検出する状態検出部を含み、前記給電制御部は、前記エラー状態に応じて、前記テーブルデータを参照して前記複数種の省電力制御処理の中からエラー対応処理を選択し、前記エラー対応処理に従って、前記複数の処理ユニットのうち前記エラー状態が検出されたエラー発生ユニットへの電力供給を制限することを特徴とする。
【発明の効果】
【０００７】
本発明によれば、エラー状態に応じて複数種の省電力制御処理の中から最適なエラー対応処理を選択し、このエラー対応処理に従ってエラー発生ユニットへの電力供給を制限することができる。このため、エラー状態に応じて処理ユニットへの電力供給を適応的に制御することができる。したがって、従来技術と比べて省電力効果の向上が可能となる。
【図面の簡単な説明】
【０００８】
【図１】本発明に係る実施の形態１の画像形成装置の概略構成を示す図である。
【図２】操作パネルの構成の一例を概略的に示す図である。
【図３】実施の形態１の印刷ユニットの構成例を概略的に示す図である。
【図４】実施の形態１の画像読み取りユニットの構成例を概略的に示す図である。
【図５】テーブル記憶部に格納されているテーブルデータの内容の一例を示す図である。
【図６】テーブル記憶部に格納されているテーブルデータの内容の他の例を示す図である。
【図７】テーブルデータを用いた給電制御の手順の主要部を概略的に示すフローチャートである。
【図８】テーブルデータを用いた給電制御の手順の一部を概略的に示すフローチャートである。
【図９】テーブルデータを用いた給電制御の手順の一部を概略的に示すフローチャートである。
【図１０】テーブルデータを用いた給電制御の手順の一部を概略的に示すフローチャートである。
【図１１】テーブルデータを用いた給電制御の手順の一部を概略的に示すフローチャートである。
【図１２】実施の形態２に係る第２の要介入処理の手順を概略的に示すフローチャートである。
【発明を実施するための形態】
【０００９】
以下、本発明に係る種々の実施の形態について図面を参照しつつ説明する。
【００１０】
実施の形態１．
図１は、本発明に係る実施の形態１の画像形成装置１の概略構成を示す図である。この画像形成装置１は、原稿の表面を光学的に撮像走査して当該原稿から画像を読み取る画像読み取りユニット５０と、印刷データで表される画像を被印刷媒体上に形成する印刷ユニット６０と、表示ユニット４０を含むコントロールパネルユニット３０と、ＡＣスイッチ（交流スイッチ）１１と、電源装置２０とを備えて構成された複合機である。ここで、本発明に係る「複数の処理ユニット」は、表示ユニット４０、画像読み取りユニット５０及び印刷ユニット６０によって構成され得る。
【００１１】
電源装置２０は、交流電源１０からＡＣスイッチ１１を介して供給された電力に基づいて、コントロールパネルユニット３０、画像読み取りユニット５０及び印刷ユニット６０にそれぞれ供給すべき電力を生成する。図１に示されるように、電源装置２０は、サブ電源部２１及びメイン電源部２２を有している。メイン電源部２２は、ＡＣスイッチ１１の出力に基づく３系統の電力を表示ユニット４０、画像読み取りユニット５０及び印刷ユニット６０へ並列に出力し得る給電部２３，２４，２５を備える。
【００１２】
一方、サブ電源部２１は、ＡＣスイッチ１１の出力に基づいてコントロールパネルユニット３０に供給すべき電力を生成する。サブ電源部２１は、メイン電源制御部２１Ａを有しており、このメイン電源制御部２１Ａが、コントロールパネルユニット３０内の給電制御部３１からの制御指示に応じて、給電部２３，２４，２５の給電動作（電力供給動作）をオンまたはオフすることによりそれらの給電動作を個別に制御する。このため、後述するように、コントロールパネルユニット３０内の給電制御部３１は、メイン電源制御部２１Ａを介して給電部２３，２４，２５の給電動作を個別に制御することができる。したがって、給電制御部３１は、表示ユニット４０、画像読み取りユニット５０及び印刷ユニット６０への３系統の給電を個別に且つ独立したタイミングで制御することが可能である。
【００１３】
コントロールパネルユニット３０は、図１に示されるように、オペレータ（ユーザ）による入力キー（図示せず）の押下を検出するキー入力検出部３３と、不揮発性メモリ３４と、外部通信装置との間で通信を行う通信インタフェース部（通信Ｉ／Ｆ部）３５と、給電制御部３１と、通信制御部３２と、表示ユニット４０とを有する。給電制御部３１は、キー入力検出部３３、不揮発性メモリ３４、通信インタフェース部３５及び通信制御部３２の各々とバスを介して接続されている。
【００１４】
不揮発性メモリ３４は、エラー情報記憶部３４Ｅ及びテーブル記憶部３４Ｔを有する。エラー情報記憶部３４Ｅには、表示ユニット４０、画像読み取りユニット５０及び印刷ユニット６０のいずれかのエラー状態が生じたときにそのエラー状態を示すエラー情報が記憶される。給電制御部３１は、表示ユニット４０、画像読み取りユニット５０及び印刷ユニット６０のそれぞれのエラー状態を検知し、当該エラー状態を示すエラー情報をエラー情報記憶部３４Ｅに記憶させる。また、エラー状態の解消（解除）を検知したときは、給電制御部３１は、当該エラー状態を示すエラー情報をエラー情報記憶部３４Ｅからクリア（消去）する。
【００１５】
一方、テーブル記憶部３４Ｔにおいては、表示ユニット４０、画像読み取りユニット５０及び印刷ユニット６０で起こり得るエラー状態と、予め決められた複数種の省電力制御処理との間の対応関係を定めるテーブルデータが予め記憶されている。
【００１６】
後述するように、給電制御部３１は、表示ユニット４０、画像読み取りユニット５０及び印刷ユニット６０のいずれかのエラー状態が検出された後に、テーブル記憶部３４Ｔ内のテーブルデータを参照して複数種の省電力制御処理の中からエラー対応処理を選択し、このエラー対応処理に従って給電制御を行うことができる。
【００１７】
なお、本実施の形態では、エラー情報記憶部３４Ｅとテーブル記憶部３４Ｔとは、同一の書き換え可能な不揮発性メモリ３４内に設けられているが、これに限定されるものではない。たとえば、エラー情報記憶部３４Ｅをフラッシュメモリなどの書き換え可能な不揮発性メモリで構成し、テーブル記憶部３４ＴをＲＯＭ（Ｒｅａｄ  Ｏｎｌｙ  Ｍｅｍｏｒｙ）で構成してもよい。
【００１８】
表示ユニット４０は、図１に示されるように、表示操作制御部４１と、この表示操作制御部４１により指定または出力された操作画面を表示する表示モジュール（機能モジュール）４３と、この表示モジュール４３の状態（エラー状態及び正常状態）を検出する状態検出部４４と、表示モジュール４３及び状態検出部４４にそれぞれ電力を供給する省電力電源部４２とを有する。省電力電源部４２は、表示操作制御部４１からの制御指示に従って表示モジュール４３に対する給電及びその停止を行う。状態検出部４４は、表示モジュール４３の表示不良などのエラー状態を検出し得るセンサからなり、表示モジュール４３の状態を表す電気信号（状態検出信号）を表示操作制御部４１に出力する。表示操作制御部４１は、表示モジュール４３のエラー状態を検知したとき、その検知結果を通信制御部３２を介して給電制御部３１に伝達する。
【００１９】
コントロールパネルユニット３０のキー入力検出部３３及び表示モジュール４３は、操作パネルを構成している。図２は、この操作パネル４３０の構成の一例を概略的に示す図である。図２に示されるように、この操作パネル４３０は、表示モジュール４３を構成する表示部４３１と、キー入力検出部３３を構成する各種操作ボタン（入力キー）４３２〜４３７とを備えている。表示部４３１は、たとえば液晶ディスプレイや有機ＥＬディスプレイなどの表示デバイスを含み、タッチパネル機能を有している。オペレータは、表示部４３１の表示領域に指先または指示具を接触させることで、表示操作制御部４１に情報を入力することができる。
【００２０】
操作ボタン４３２は、原稿表面の画像の複写（コピー）に関する操作を開始するためのボタンである。オペレータがこの操作ボタン４３２を押下すると、表示部４３１に複写用の設定操作画面が表示される。オペレータは、この設定操作画面に従って操作パネル４３０を操作することで、複写に関する設定及び複写の開始指示を行うことができる。複写の開始指示がなされると、画像読み取りユニット５０が原稿の表面を撮像走査して読み取り画像データを生成し、次いで印刷ユニット６０がこの読み取り画像データで表される画像を被印刷媒体上に形成する。
【００２１】
また、操作ボタン４３３は、原稿に対する撮像走査（スキャン）に関する操作を開始するためのボタンである。オペレータがこの操作ボタン４３３を押下すると、表示部４３１にスキャン用の設定操作画面が表示される。オペレータは、この設定操作画面に従って操作パネル４３０を操作することで、スキャンに関する設定及びスキャンの開始指示を行うことができる。スキャンの開始指示がなされると、画像読み取りユニット５０が原稿の表面を撮像走査して読み取り画像データを生成する。
【００２２】
また、操作ボタン４３４は、印刷に関する操作を開始するためのボタンである。オペレータがこの操作ボタン４３４を押下すると、表示部４３１に印刷用の設定操作画面が表示される。オペレータは、この設定操作画面に従って操作パネル４３０を操作することで、印刷に関する設定を行うことができる。印刷ユニット６０は、後述するように、その設定に従って被印刷媒体上に画像を形成することができる。
【００２３】
なお、操作ボタン４３５は、画像形成装置１の省電力動作モードの一種であるパワーセーブモードを解除するためのパワーセーブ解除キーであり、操作ボタン４３６は、画像形成装置１の省電力動作モードの一種であるオートオフモード（スリープモード）を解除するための電源キーである。
【００２４】
図１を参照すると、通信インタフェース部３５は、ＬＡＮ（Ｌｏｃａｌ  Ａｒｅａ  Ｎｅｔｗｏｒｋ）９２を介してＰＣ（パーソナル・コンピュータ）などのホスト機器９１と通信することができる。また、通信インタフェース部３５は、ＬＡＮ９２及び通信ネットワークＮＷを介してサーバ９３及び管理端末９４と通信することも可能である。サーバ９３は、電子メールサーバ機能を有する。通信インタフェース部３５は、電子メールクライアント機能を有するため、予め登録された宛先アドレス（電子メールアドレス）と送信情報とを含む電子メールをサーバ９３に送信することができる。サーバ９３は、この電子メールを受信すると、当該宛先アドレスに対応するメールボックスに当該電子メールを保管する。当該電子メールの宛先が管理端末９４である場合には、管理端末９４は、サーバ９３にアクセスして当該電子メールを受信することが可能である。通信ネットワークＮＷとしては、たとえば、インターネットなどの広域通信ネットワークが挙げられるが、これに限定されるものではない。
【００２５】
印刷ユニット６０は、印刷制御部６１と、省電力電源部６２と、この省電力電源部６２から電力供給を受けて動作する機能モジュール６３１，６３２，…，６３Ｍ（Ｍは３以上の正整数）と、これら機能モジュール６３１，６３２，…，６３Ｍのそれぞれの状態（エラー状態及び正常状態）を検出する状態検出部６４とを有している。印刷制御部６１は、機能モジュール６３１，６３２，…，６３Ｍの動作を個別に制御することができる。また、省電力電源部６２は、印刷制御部６１からの制御指示に従って、機能モジュール６３１，６３２，…，６３Ｍに対する給電及びその停止を個別に行うことができる。状態検出部６４は、機能モジュール６３１，６３２，…，６３Ｍのそれぞれの状態を表す電気信号（状態検出信号）を出力し得るセンサ群からなる。それらの状態検出信号は、印刷制御部６１に与えられる。印刷制御部６１は、それらの状態検出信号に基づいて、機能モジュール６３１，６３２，…，６３Ｍのいずれかのエラー状態を検知したとき、その検知結果を表示操作制御部４１に通知する。
【００２６】
図３は、印刷ユニット６０の構成例を概略的に示す図である。
【００２７】
図３に示されるように、印刷ユニット６０は、被印刷媒体Ｐａを収容するトレイモジュール６５２と、被印刷媒体を供給するためのＭＰＴ（多目的トレイ：Ｍｕｌｔｉ−Ｐｕｒｐｏｓｅ  Ｔｒａｙ）６５５と、トレイモジュール６５２またはＭＰＴ６５５から供給された被印刷媒体を搬送する一対の搬送ローラ６５４Ａ，６５４Ｂと、印刷データで表される画像に応じた現像剤像を形成する画像形成部６０１と、その現像剤像を被印刷媒体Ｐａ上に転写させる転写部としての転写ローラ６５１と、転写された現像剤像を被印刷媒体Ｐａに定着させる定着器６６０と、被印刷媒体をスタッカ部６７４上に排出する排出ローラ６７１Ａ，６７１Ｂ，６７２Ａ，６７２Ｂ，６７３Ａ，６７３Ｂとを備えている。
【００２８】
トレイモジュール６５２は、被印刷媒体Ｐａが載置される媒体積載部６５２Ｂと、この媒体積載部６５２Ｂの端部を下方から支持するリフトアップレバー６５２Ｌと、駆動モータ６５２Ｍとを備えている。駆動モータ６５２Ｍは、印刷制御部６１（図１）からの制御指示に応じて回転駆動力をリフトアップレバー６５２Ｌに与えることができる。これにより、リフトアップレバー６５２Ｌとともに被印刷媒体Ｐａの端部が持ち上げられる。被印刷媒体Ｐａとしては、たとえば、用紙、プラスチックフィルム、合成紙もしくは布などのシート状のものが挙げられる。
【００２９】
トレイモジュール６５２には、トレイセンサ６５２Ｓが配置されている。トレイセンサ６５２Ｓは、トレイモジュール６５２の内部の被印刷媒体Ｐａの有無を検出し、その検出結果を示す状態検出信号を印刷制御部６１（図１）に供給することができる。印刷制御部６１は、トレイモジュール６５２内に被印刷媒体Ｐａが無い状態を検知したとき、その検知結果を表示操作制御部４１に通知する。
【００３０】
また、図３に示されるように、トレイモジュール６５２の先端付近には、ホッピングローラ６５３が設けられている。このホッピングローラ６５３は、駆動モータ（図示せず）から伝達された駆動力に応じて反時計回りに回転し、これによりトレイモジュール６５２から被印刷媒体Ｐａを１枚ずつ取り出して媒体供給路に送り出すことができる。このとき、ホッピングセンサ６５３Ｓは、トレイモジュール６５２からの被印刷媒体Ｐａの取り出し（ホッピング）の成功もしくは失敗（ホッピング異常）、またはトレイモジュール６５２から送り出された被印刷媒体Ｐａのジャム状態（媒体供給路中での詰まり）を検出し、その検出結果を示す状態検出信号を印刷制御部６１に供給することができる。たとえば、印刷非動作中の場合など、媒体供給路上を被印刷媒体Ｐａが走行すべきではない場合に、その媒体供給路に存在する被印刷媒体Ｐａをジャム状態の媒体として検出することができる。印刷制御部６１は、ホッピング異常またはジャム状態を検知したとき、その検知結果を表示操作制御部４１に通知する。なお、ホッピングセンサ６５３Ｓとしては、接触式センサまたは非接触式センサ（光学式センサ）を使用すればよい。
【００３１】
一方、ＭＰＴ６５５の先端部付近には、ピックアップローラ６５６、フィードローラ６５７及びリタードローラ６５８が設けられている。ピックアップローラ６５６は、時計回りに回転してＭＰＴ６５５から被印刷媒体を取り出す。フィードローラ６５７及びリタードローラ６５８は、ＭＰＴ６５５から取り出された被印刷媒体を挟み込んで１枚ずつ媒体供給路に送り出すことができる。このとき、媒体センサ６５７Ｓは、ＭＰＴ６５５から被印刷媒体が正常に送出されたこと、もしくは、ＭＰＴ６５５から送り出された被印刷媒体のジャム状態（媒体供給路中での詰まり）を検出し、その検出結果を示す状態検出信号を印刷制御部６１に供給することができる。印刷制御部６１は、ＭＰＴ６５５から送り出された被印刷媒体のジャム状態を検出したとき、その検知結果を表示操作制御部４１に通知する。なお、媒体センサ６５７Ｓとしては、接触式センサまたは非接触式センサ（光学式センサ）を使用すればよい。
【００３２】
搬送ローラ６５４Ａ，６５４Ｂは、駆動モータ（図示せず）から伝達された駆動力に応じて回転し、これにより被印刷媒体を挟み込んで画像形成部６０１に送り出すことができる。搬送ローラ６５４Ａ，６５４Ｂの近傍であって媒体搬送方向上流側には媒体センサ６５４Ｓｆが配置され、媒体搬送方向下流側には媒体センサ６５４Ｓｂが配置されている。これら媒体センサ６５４Ｓｆ，６５４Ｓｂの検出出力は、印刷制御部６１に供給され、たとえば、現像剤像の被印刷媒体Ｐａへの転写タイミングを制御するために使用される。また、これら媒体センサ６５４Ｓｆ，６５４Ｓｂは、印刷非動作中の場合など、媒体搬送路上を被印刷媒体が走行すべきではない場合に、その媒体搬送路に存在する被印刷媒体Ｐａをジャム状態の媒体として検出することもできる。印刷制御部６１は、媒体センサ６５４Ｓｆ，６５４Ｓｂの出力に基づいて被印刷媒体のジャム状態を検知したときは、その検知結果を表示操作制御部４１に通知する。
【００３３】
図３に示される画像形成部６０１は、所定の色（たとえば、ブラック）の現像剤Ｔｎ（粉体トナーを含む。）を収容する現像剤収容部（トナーカートリッジ）６０２と、感光体ドラム６０４と、この感光体ドラム６０４の表面に接触してその表面を一様に帯電させる帯電部としての帯電ローラ６０５と、回転する感光体ドラム６０４の表面に静電潜像を形成するための露光を行うＬＥＤヘッド（露光器）６０６と、現像剤担持体である現像ローラ６０８と、現像剤Ｔｎを現像ローラ６０８に供給する供給ローラ６０７と、転写されずに感光体ドラム６０４上に残留した現像剤を掻き落とすドラムクリーニング部６１０とを有する。また、現像ローラ６０８上の現像剤層を薄層化する現像ブレード６０９も設けられている。供給ローラ６０７と現像ローラ６０８には、それぞれ、高圧電源（図示せず）によりバイアス電圧が印加されている。これらバイアス電圧により発生した電界の作用によって、現像剤Ｔｎは感光体ドラム６０４に移動して静電潜像を顕在化させる。
【００３４】
感光体ドラム６０４は、たとえば、アルミニウムなどの金属パイプ（導電性基体）と、この金属パイプの周りに形成された有機系感光体（ＯＰＣ：Ｏｒｇａｎｉｃ  Ｐｈｏｔｏｃｏｎｄｕｃｔｏｒ）などの光導電層とで構成されている。有機系感光体は、電荷発生層及び電荷輸送層を順次積層して形成することができる。図３のＬＥＤヘッド６０６は、図示を省略するが、感光体ドラム６０４の長手方向（軸方向）に沿って配列された複数のＬＥＤ素子（発光ダイオード素子）と、これらＬＥＤ素子を駆動するＬＥＤ駆動部と、それらＬＥＤ素子の出射光を感光体ドラム６０４の表面に導くレンズアレイとを備えている。
【００３５】
現像剤収容部６０２の内部には現像剤センサ６０２Ｓが設けられている。この現像剤センサ６０２Ｓは、現像剤収容部６０２における現像剤の残量を検出し、その検出結果を示す状態検出信号を印刷制御部６１に出力することができる。印刷制御部６１は、その状態検出信号に基づいて現像剤の残量が少量である状態、またはその残量が無い状態を検知したとき、その検知結果を表示操作制御部４１に通知する。
【００３６】
また、画像形成部６０１内の感光体ドラム６０４と対向する位置にはドラムセンサ６０４Ｓが設けられている。ドラムセンサ６０４Ｓは、感光体ドラム６０４の表面からの反射光を検出し、その検出結果を示す状態検出信号を印刷制御部６１に出力することができる。印刷制御部６１は、その状態検出信号に基づいて感光体ドラム６０４の有無を検知し得る。印刷制御部６１は、感光体ドラム６０４が無い状態を検知したとき、その検知結果を表示操作制御部４１に通知する。
【００３７】
画像形成部６０１のケースには、メモリ及び通信回路を含むＩＣチップからなる識別タグＴｇ１が取り付けられている。識別タグＴｇ１には、たとえば、当該画像形成部６０１の識別子情報（たとえば、ＩＤ番号）と当該画像形成部６０１の使用量（たとえば、使用時間）とを記録することができる。また、識別タグＴｇ１内の記録情報を読み出すこともできる。識別タグＴｇ１が有線で印刷制御部６１と接続された有線タグである場合、印刷制御部６１は、識別タグＴｇ１に直接アクセスして、識別タグＴｇ１から識別子情報を読み出し、識別タグＴｇ１に情報を書き込むことができる。一方、識別タグＴｇ１がＲＦＩＤタグなどの無線タグの場合は、印刷制御部６１は、無線通信器を介して識別タグＴｇ１にアクセスすればよい。このように識別タグＴｇ１が取り付けられているので、画像形成部６０１の交換などの保守管理が容易になるという利点がある。
【００３８】
感光体ドラム６０４から被印刷媒体Ｐａ上に現像剤像が転写された後は、この被印刷媒体Ｐａは、定着器６６０に送り込まれる。定着器６６０は、図３に示されるように、時計回りに回転する円管状の加熱ローラ６６１と、反時計回りに回転する円管状の定着ローラ６６２とを有し、これら加熱ローラ６６１と定着ローラ６６２とは互いに対向して配置されている。加熱ローラ６６１の内部には、ハロゲンランプなどの熱源が設けられている。加熱ローラ６６１と定着ローラ６６２とは、当該加熱ローラ６６１と定着ローラ６６２との間にニップ（挟持）された被印刷媒体Ｐａに圧力及び熱を印加することにより、現像剤像を溶かして被印刷媒体Ｐａに定着させることができる。加熱ローラ６６１の温度は、サーミスタなどの温度センサ６６１Ｓにより検出される。また、加熱ローラ６６１の温度は、温度センサ６６１Ｓ及びサーモスタットを用いて所定の温度範囲内に収まるように精密に制御され得る。しかしながら、印刷制御部６１は、温度センサ６６１Ｓによる検出結果に基づいて加熱ローラ６６１の温度が許容温度域の下限を下回る低温である状態（低温エラー）、またはその温度が許容温度域の上限を超える高温である状態（高温エラー）を検知したときは、その検知結果を表示操作制御部４１に通知する。
【００３９】
なお、定着器６６０の媒体搬入口付近には、媒体センサ６６０Ｓが配置されている。この媒体センサ６６０Ｓは、定着器６６０に被印刷媒体Ｐａが送り込まれたことを検出する接触式または非接触式のセンサである。媒体センサ６６０Ｓは、印刷非動作中の場合など、媒体搬送路上を被印刷媒体が走行すべきではない場合に、その媒体搬送路に存在する被印刷媒体Ｐａをジャム状態の媒体として検出することができる。印刷制御部６１は、定着器６６０の媒体搬入口付近の被印刷媒体Ｐａのジャム状態を検知したとき、その検知結果を表示操作制御部４１に通知する。
【００４０】
また、定着器６６０のケースには、メモリ及び通信回路を含むＩＣチップからなる識別タグＴｇ２が取り付けられている。識別タグＴｇ２には、たとえば、当該定着器６６０の識別子情報（たとえば、ＩＤ番号）と当該定着器６６０の使用量（たとえば、使用時間）とを記録することができる。また、識別タグＴｇ２のメモリ内の記録情報を読み出すこともできる。識別タグＴｇ２が有線で印刷制御部６１と接続された有線タグである場合、印刷制御部６１は、識別タグＴｇ２に直接アクセスして、識別タグＴｇ２から識別子情報を読み出し、識別タグＴｇ２に情報を書き込むこともできる。一方、識別タグＴｇ２がＲＦＩＤタグなどの無線タグの場合は、印刷制御部６１は、無線通信器を介して識別タグＴｇ２にアクセスすればよい。このように識別タグＴｇ２が取り付けられているので、定着器６６０の交換などの保守管理が容易になるという利点がある。
【００４１】
定着器６６０から送り出された被印刷媒体は、排出ローラ６７１Ａ，６７１Ｂ，６７２Ａ，６７２Ｂ，６７３Ａ，６７３Ｂによって、スタッカ部６７４へ排出される。ここで、一対の排出ローラ６７３Ａ，６７３Ｂの付近に排出センサ６７３Ｓが配置されている。この排出センサ６７３Ｓは、被印刷媒体の正常排出またはそのジャム状態を検出し、その検出結果を示す状態検出信号を印刷制御部６１に出力することができる。印刷制御部６１は、排出ローラ６７３Ａ，６７３Ｂ付近の被印刷媒体のジャム状態を検知したとき、その検知結果を表示操作制御部４１に通知する。
【００４２】
また、スタッカ部６７４には光学式のスタッカフルセンサ６７４Ｓが設けられている。このスタッカフルセンサ６７４Ｓは、スタッカフル状態（スタッカ部６７４に被印刷媒体が過剰に蓄積された満杯状態）を検出し、その検出結果を示す状態検出信号を印刷制御部６１に出力することができる。印刷制御部６１は、スタッカフル状態を検知したとき、被印刷媒体を排出させる動作を停止させるとともに、その検知結果を表示操作制御部４１に通知する。
【００４３】
また、図３に示されるように、印刷ユニット６０のカバー（図示せず）の状態を検出するカバー開閉センサ６０Ｓが設けられている。カバー開閉センサ６０Ｓは、カバーの閉じた状態（印刷ユニット６０の内部を被覆する閉状態）もしくはカバーの開いた状態（印刷ユニット６０の内部を外部に露出させる開状態）を示す状態検出信号を印刷制御部６１に出力することができる。印刷制御部６１は、カバーの開状態を検知したとき、その検知結果を表示操作制御部４１に通知する。
【００４４】
図１に示される省電力電源部６２は、印刷ユニット６０の動作に必要な電力を機能モジュール単位で供給することができる。機能モジュール６３１，６３２，…，６３Ｍとしては、たとえば、駆動モータ６５２Ｍを含むトレイモジュール６５２と、ホッピングローラ６５３及び駆動モータを含む媒体供給機構と、ピックアップローラ６５６及び駆動モータを含む媒体供給機構と、搬送ローラ６５４Ａ，６５４Ｂ及び駆動モータを含む媒体搬送機構と、定着器６６０と、排出ローラ６７１Ａ，６７１Ｂ，６７２Ａ，６７２Ｂ，６７３Ａ，６７３Ｂ及び駆動モータを含む媒体排出機構とが挙げられる。状態検出部６４は、印刷ユニット６０におけるカバー開閉センサ６０Ｓ，ホッピングセンサ６５３Ｓ，媒体センサ６５７Ｓ，６５４Ｓｆ，６５４Ｓｂ，６６０Ｓ，現像剤センサ６０２Ｓ，ドラムセンサ６０４Ｓ，温度センサ６６１Ｓ及び排出センサ６７３Ｓなどの全てのセンサで構成され得る。
【００４５】
次に、画像読み取りユニット５０について説明する。
【００４６】
図１を参照すると、画像読み取りユニット５０は、読み取り制御部５１と、省電力電源部５２と、この省電力電源部５２から電力供給を受けて動作する機能モジュール５３１，５３２，…，５３Ｎ（Ｎは３以上の正整数）と、これら機能モジュール５３１，５３２，…，５３Ｎのそれぞれの状態（エラー状態及び正常状態）を検出する状態検出部５４とを有している。読み取り制御部５１は、機能モジュール５３１，５３２，…，５３Ｎの動作を個別に制御することができる。また、省電力電源部５２は、読み取り制御部５１からの制御指示に従って、機能モジュール５３１，５３２，…，５３Ｎに対する給電及びその停止を個別に且つ独立したタイミングで行うことができる。状態検出部５４は、機能モジュール５３１，５３２，…，５３Ｎのそれぞれの状態を表す電気信号（状態検出信号）を出力し得るセンサ群からなる。それらの状態検出信号は、読み取り制御部５１に与えられる。読み取り制御部５１は、それら状態検出信号に基づいて、機能モジュール５３１，５３２，…，５３Ｍのいずれかのエラー状態を検知したとき、その検知結果を表示操作制御部４１に通知する。
【００４７】
図４は、画像読み取りユニット５０の構成例を概略的に示す図である。
【００４８】
図４に示されるように、画像読み取りユニット５０は、原稿Ｓｔが配置される載置テーブル５０１と、この原稿Ｓｔの表面を撮像走査するラインセンサ５０２と、このラインセンサ５０２をホームポジションから所定の主走査方向へ走査させる駆動部５０３と、ラインセンサ５０２から出力されたアナログ画像信号に信号処理を施してデジタル画像データを生成する信号処理部５０４とを備える。本実施の形態のラインセンサ５０２は、等倍結像光学系を有するＣＩＳ（Ｃｏｎｔａｃｔ  Ｉｍａｇｅ  Ｓｅｎｓｏｒ）型のラインセンサであり、当該ラインセンサ５０２の直下の線状の被写体領域に光を照射し、その反射光を１列配列のＣＣＤ（Ｃｈａｒｇｅ−Ｃｏｕｐｌｅｄ  Ｄｅｖｉｃｅ）センサ群で検出して撮像する。なお、本実施の形態では、ラインセンサ５０２としてＣＩＳ型のラインセンサが使用されるが、これに限定されるものではない。
【００４９】
画像読み取りユニット５０は、さらに、ラインセンサ５０２がホームポジションに配置されたか否かを検出する光学式のホームポジションセンサ５０Ｓと、撮像走査中のラインセンサ５０２の配置を検出するポジションセンサ（図示せず）とを備えている。読み取り制御部５１は、ホームポジションセンサ５０Ｓの検出出力に基づいて、ラインセンサ５０２がホームポジションに正常に配置されたか否かを検知することができる。また、読み取り制御部５１は、ポジションセンサの検出出力に基づいて、撮像走査中のラインセンサ５０２の配置が正常な配置か否かを検知することもできる。読み取り制御部５１は、ラインセンサ５０２の配置が正常ではない状態を検知したとき、その検知結果を表示操作制御部４１に通知する。
【００５０】
なお、画像読み取りユニット５０は、図示されないＡＤＦ（Ａｕｔｏｍａｔｉｃ  Ｄｏｃｕｍｅｎｔ  Ｆｅｅｄｅｒ：自動原稿送り装置）を備えている。
【００５１】
図１に示される省電力電源部５２は、画像読み取りユニット５０の動作に必要な電力を機能モジュール単位で供給することができる。機能モジュール５３１，５３２，…，５３Ｎとしては、たとえば、上記したラインセンサ５０２、駆動部５０３及びＡＤＦ（図示せず）が挙げられる。状態検出部５４は、画像読み取りユニット５０におけるホームポジションセンサ５０Ｓ、ラインセンサ５０２及びポジションセンサなどの全てのセンサで構成され得る。
【００５２】
図１を参照すると、表示ユニット４０、画像読み取りユニット５０及び印刷ユニット６０のいずれかの正常動作が完了した後に一定の設定時間が経過すると、画像形成装置１の動作モードは、通常の動作モードから、オートオフモードと呼ばれる省電力動作モードに自動的に移行する。このとき、給電制御部３１は、たとえば、メイン電源部２２における給電部２３，２４，２５の給電動作をオフにする（給電動作を停止させる）。これにより、表示ユニット４０、画像読み取りユニット５０及び印刷ユニット６０への給電が停止される。このとき、給電制御部３１、キー入力検出部３３、不揮発性メモリ３４及び通信インタフェース部３５のみにそれぞれ電力が供給されるため、画像形成装置１は電力をほとんど消費しない。
【００５３】
動作モードを省電力動作モード（オートオフモード）から通常の動作モードに移行させたいときは、オペレータは、図２に示される操作パネル４３０の電源キー４３６を押下すればよい。
【００５４】
表示ユニット４０、画像読み取りユニット５０及び印刷ユニット６０のいずれかでエラー状態が発生したときは、先ず、そのエラー状態が発生した処理ユニットから表示操作制御部４１に当該エラー状態を示す情報が伝達される。次いで、表示操作制御部４１は、給電制御部３１に当該エラー状態を示す情報を伝達する。そして、給電制御部３１は、そのエラー状態を示すエラー情報をエラー情報記憶部３４Ｅに記録することとなる。また、表示操作制御部４１は、そのエラー状態をオペレータに通知する情報（たとえば、エラーメッセージ）を表示モジュール４３に表示させることもできる。
【００５５】
さらに、給電制御部３１の状態情報生成部３１Ａは、当該エラー情報に対応する障害情報（たとえば、エラーメッセージ）または障害解除情報を作成し、通信インタフェース部３５を介して、ホスト機器９１及び管理端末９４に宛ててその障害情報または障害解除情報を送信することもできる。電子メールサーバ機能を有するサーバ９３を利用して障害情報または障害解除情報を送信することも可能である。この場合、通信インタフェース部３５は、予め登録されたホスト機器９１または管理端末９４に割り当てられた宛先アドレス（電子メールアドレス）と当該障害情報または障害解除情報とを含む電子メールを、所定の通信プロトコルに従ってサーバ９３に送信する。サーバ９３は、当該電子メールを、宛先アドレスに対応するメールボックス（記憶領域）に格納する。そして、電子メールクライアントであるホスト機器９１または管理端末９４は、サーバ９３にアクセスして当該電子メールを受信することとなる。
【００５６】
一方、処理ユニット４０，５０，６０のいずれかのエラー状態が解消されると、その解消を示す情報が処理ユニットから表示操作制御部４１を介して給電制御部３１に伝達される。このとき、給電制御部３１は、当該エラー情報をエラー情報記憶部３４Ｅから削除する。エラー情報が削除される前に一定の設定時間が経過したとき、画像形成装置１の動作モードは、通常の動作モードから省電力動作モード（オートオフモード）に自動的に移行する。
【００５７】
次に、上記構成を有する画像形成装置１の省電力動作を以下に説明する。
【００５８】
給電制御部３１は、動作モードが省電力動作モード（オートオフモード）から通常の動作モードに移行する際に、処理ユニット４０，５０，６０のいずれかで発生したエラー状態が解消されていない場合には、テーブル記憶部３４Ｔに予め記憶されたテーブルデータを参照して複数種の省電力制御処理の中から当該エラー状態に対応するエラー対応処理を選択し、このエラー対応処理に基づいた給電制御を行う。
【００５９】
図５及び図６は、テーブル記憶部３４Ｔに格納されているテーブルデータの内容を例示する図である。図５は、印刷ユニット６０で起こり得るエラー状態と省電力制御処理（「自動復旧処理」，「第１の要介入処理」及び「第２の要介入処理」）との間の対応関係を示すテーブルデータの内容を表し、図６は、画像読み取りユニット５０で起こり得るエラー状態と省電力制御処理（「自動復旧処理」，「第１の要介入処理」及び「第２の要介入処理」）との間の対応関係を示すテーブルデータの内容を表している。
【００６０】
図５及び図６において、「省電力制御処理」の欄の記号「○」は、エラー状態に対応するエラー対応処理を指定するものである。また、「復旧方法」の欄の記号「○」は、エラー状態に対して有効な復旧方法を示すものである。ここで、「自動復旧」は、電源再投入だけでエラー状態が解消する可能性のある場合を意味する。また、「ユーザ介入」は、ユーザの復旧作業によりエラー状態が解消する場合を意味する。そして、「サービスコール」は、画像形成装置１の保守管理員の呼び出し（サービスコール）に応じて当該保守管理員が復旧作業を行ったり、修理もしくは部品交換を行ったりすることでエラー状態が解消する可能性が高い場合を意味する。
【００６１】
たとえば、図５を参照すると、トレイセンサ６５２Ｓがトレイモジュール６５２における媒体無しというエラー状態を検出した場合、オートオフモード中またはパワーセーブモード中のユーザ介入により被印刷媒体Ｐａをトレイモジュール６５２に補充することができる。このような場合には「第１の要介入処理」が実行される。
【００６２】
次に、図７〜図１１は、上記テーブルデータを用いた給電制御の手順を概略的に示すフローチャートである。図７〜図１１のフローチャートは、結合子Ｃ１，Ｃ２，Ｃ３，Ｃ４，Ｃ５，Ｃ６を介して結合されている。
【００６３】
オペレータが操作パネル４３０の電源キー４３６を押下すると、画像形成装置１への電源再投入が行われる。このとき、給電制御部３１は、以下の電源制御を開始する。
【００６４】
図７に示されるように、給電制御部３１は、先ず、エラー情報記憶部３４Ｅにアクセスして解除されていないエラー情報の有無を判定する（ステップＳ１１）。エラー情報が無い場合（ステップＳ１２のＮＯ）、給電制御部３１は、メイン電源制御部２１Ａを制御して正常ユニット（表示ユニット４０、画像読み取りユニット５０及び印刷ユニット６０）へメイン電源を供給させる（ステップＳ１３）。
【００６５】
次いで、給電制御部３１は、正常ユニットの初期化を行う（ステップＳ１４）。具体的には、給電制御部３１は、表示操作制御部４１、読み取り制御部５１及び印刷制御部６１に対して初期化を指示する。給電制御部３１からの指示に応じて、表示操作制御部４１、読み取り制御部５１及び印刷制御部６１は、機能モジュール４３，５３１，５３２，…，５３Ｎ、６３１，６３２，…，６３Ｍに初期動作を実行させる。たとえば、表示操作制御部４１は、表示モジュール４３の初期設定をしたり、表示モジュール４３に初期化用の画面を表示させたりすることができる。また、印刷制御部６１は、初期動作として、定着器６６０の加熱やＬＥＤヘッド６０６の初期設定を行うことができる。
【００６６】
正常ユニットの初期化（ステップＳ１４）の実行後、給電制御部３１は、タイマを起動して一定の設定時間Ｔ０の間、待機する（ステップＳ１５のＮＯ及びステップＳ１６のＮＯ）。設定時間Ｔ０が経過してもユーザによる操作入力が無い場合（ステップＳ１５のＹＥＳ）、給電制御部３１は、ステップＳ２０に処理を移行させる。
【００６７】
一方、設定時間Ｔ０が経過する前にユーザによる操作入力があった場合（ステップＳ１６のＹＥＳ）、当該操作入力の種類に応じた処理が実行される。すなわち、当該操作入力が印刷指示の場合には、印刷ユニット６０において、印刷制御部６１が機能モジュール６３１，６３２，…，６３Ｍを制御して被印刷媒体上に印刷画像を形成させる（ステップＳ１７）。当該操作入力が読み取り指示（スキャン指示）の場合には、画像読み取りユニット５０において、読み取り制御部５１が機能モジュール５３１，５３２，…，５３Ｎを制御して、原稿の表面を光学的に撮像走査させる（ステップＳ１８）。当該操作入力がコピー指示の場合には、画像読み取りユニット５０が原稿の表面を撮像走査して読み取り画像データを生成し、次いで印刷ユニット６０がこの読み取り画像データで表される画像を被印刷媒体上に形成する（ステップＳ１９）。ステップＳ１７，Ｓ１８，Ｓ１９のいずれかが実行された後、ステップＳ２０に処理が移行する。また、ステップＳ１６で検出された操作入力がキャンセル指示の場合には、給電制御部３１は、ステップＳ２０に処理を移行させる。
【００６８】
その後、給電制御部３１は、一定の設定時間Ｔ１が経過するまで待機し（ステップＳ２０のＮＯ）、設定時間Ｔ１が経過したとき（ステップＳ２０のＹＥＳ）、画像形成装置１の動作モードをパワーセーブモードに移行させる（ステップＳ２１）。このとき、給電制御部３１は、たとえば、メイン電源制御部２１Ａを制御して給電部２３，２４，２５の出力電力を低くすることで画像形成装置１の動作モードをパワーセーブモードに移行させることができる。
【００６９】
パワーセーブモードへの移行後、給電制御部３１は、さらに一定の設定時間Ｔ２が経過するまで待機し（ステップＳ２２のＮＯ）、設定時間Ｔ２が経過したとき（ステップＳ２２のＹＥＳ）、パワーセーブモードをオートオフモードに移行させる（ステップＳ２３）。なお、本実施の形態では、説明の便宜上、ステップＳ２０，Ｓ２２の待機中の操作入力は無いものとされているが、これに限定されるものではない。たとえば、ステップＳ２０，Ｓ２２の待機中に操作入力があった場合には、その操作入力に応じた処理（たとえば、印刷制御）が実行されてもよい。
【００７０】
次に、上記ステップＳ１２で、解除されていないエラー情報が有ると判定された場合（ステップＳ１２のＹＥＳ）について説明する。この場合、給電制御部３１は、テーブル記憶部３４Ｔにアクセスしてテーブルデータ（図５及び図６）を参照し（ステップＳ２５）、３種類の省電力制御処理の中から、そのエラー情報で特定されるエラー状態に対応する処理（以下「エラー対応処理」と呼ぶ。）を選択する（ステップＳ２６）。
【００７１】
エラー対応処理として自動復旧処理が選択された場合は（ステップＳ２７）、図８に示す手順が実行される。図８に示されるように、給電制御部３１は、メイン電源制御部２１Ａを制御して、当該エラー状態が検出された処理ユニット（以下「エラー発生ユニット」と呼ぶ。）へのメイン電源供給を実行させる（ステップＳ４１）。次いで、給電制御部３１は、エラー発生ユニットの初期化を実行する（ステップＳ４２）。この初期化によりエラー発生ユニットのエラー状態が発生しない場合は（ステップＳ４３のＮＯ）、給電制御部３１は、そのエラー状態を示すエラー情報をエラー情報記憶部３４Ｅから削除（クリア）し（ステップＳ４４）、そのエラー状態が解除された処理ユニットを正常ユニットに分類する（ステップＳ４５）。その後、給電制御部３１は、図７のステップＳ１３に処理を移行させる。
【００７２】
たとえば、電源再投入前の印刷ユニット６０において定着器６６０の低温エラー状態のみが発生したが、電源再投入後の定着器６６０の初期化（ステップＳ４２）の際に実行された加熱処理によってその低温エラー状態が解消する場合がある。このような場合は、そのエラー情報は、エラー情報記憶部３４Ｅから削除され（ステップＳ４４）、印刷ユニット６０は正常ユニットに分類される（ステップＳ４５）。
【００７３】
一方、図８のステップＳ４２での初期化によりエラー状態が再発した場合は（ステップＳ４３のＹＥＳ）、給電制御部３１は、エラー発生ユニットに含まれる機能モジュールのうちエラー状態が発生した異常機能モジュールを特定する（ステップＳ４６）。次いで、給電制御部３１は、エラー発生ユニットを制御して異常機能モジュールへの電力供給を遮断させる（ステップＳ４７）。たとえば、画像読み取りユニット５０の機能モジュール５３１，５３２，…，５３Ｎのうち機能モジュール５３１のみにエラー状態が生じた場合、読み取り制御部５１は、表示操作制御部４１を介して給電制御部３１にそのエラー状態の通知を行う。給電制御部３１は、その通知に応じて、読み取り制御部５１に対して機能モジュール５３１への電力供給の遮断を指示する。読み取り制御部５１は、その指示に応じて省電力電源部５２を制御する。
【００７４】
異常機能モジュールへの電力供給が遮断された後は、状態情報生成部３１Ａは、当該エラー状態を示す障害情報（たとえば、エラーメッセージ）を作成し（ステップＳ４８）、通信インタフェース部３５を介して、予め登録された外部通信装置（たとえば、ホスト機器９１及び管理端末９４）に宛ててその障害情報を送信する（ステップＳ４９）。その後、給電制御部３１は、図１１のステップＳ７１に処理を移行させる。
【００７５】
上記ステップＳ２７で、エラー対応処理として第１の要介入処理が選択された場合は、図９に示す手順が実行される。図９に示されるように、給電制御部３１は、メイン電源制御部２１Ａを制御して、エラー発生ユニットへのメイン電源供給を実行させる（ステップＳ５１）。このメイン電源供給を受けたエラー発生ユニットにエラー状態が発生しない場合は（ステップＳ５２のＮＯ）、給電制御部３１は、当該エラー状態が解除された処理ユニットの初期化を実行する（ステップＳ５３）。次いで、給電制御部３１は、そのエラー状態を示すエラー情報をエラー情報記憶部３４Ｅから削除（クリア）し（ステップＳ５４）、そのエラー状態が解除された処理ユニットを正常ユニットに分類する（ステップＳ５５）。その後、給電制御部３１は、図７のステップＳ１３に処理を移行させる。
【００７６】
たとえば、オートオフモード中に、ユーザ介入によりスタッカフルというエラー状態が解消されている場合（ユーザがスタッカ部６７４から被印刷媒体を取り除いた場合）、もしくは、オートオフモード中に、ユーザ介入により被印刷媒体のジャム状態というエラー状態が解消されている場合がある。このような場合、電源再投入後は、そのエラー情報は、エラー情報記憶部３４Ｅから削除され（ステップＳ５４）、媒体排出機構は正常ユニットに分類される（ステップＳ５５）。
【００７７】
一方、図９のステップＳ５１でのメイン電源供給によりエラー状態が再発した場合は（ステップＳ５２のＹＥＳ）、給電制御部３１は、エラー発生ユニットに含まれる機能モジュールのうちエラー状態が発生した異常機能モジュールを特定する（ステップＳ５６）。次いで、給電制御部３１は、エラー発生ユニットを制御して異常機能モジュールへの電力供給を遮断させる（ステップＳ５７）。
【００７８】
その異常機能モジュールへの電力供給が遮断された後は、状態情報生成部３１Ａは、当該エラー状態を示す障害情報（たとえば、エラーメッセージ）を作成し（ステップＳ５８）、通信インタフェース部３５を介して、予め登録された外部通信装置（たとえば、ホスト機器９１及び管理端末９４）に宛ててその障害情報を送信する（ステップＳ５９）。これにより、たとえば、オペレータまたは保守管理員は、エラー状態を容易に知ることができ、そのエラー状態の解除を促される。その後、給電制御部３１は、図１１のステップＳ７１に処理を移行させる。
【００７９】
上記ステップＳ２７で、エラー対応処理として第２の要介入処理が選択された場合は（ステップＳ２７）、図１０に示す手順が実行される。図１０に示されるように、給電制御部３１は、エラー発生ユニットへのメイン電源供給をしない旨を決定する（ステップＳ６１）。その後、状態情報生成部３１Ａは、当該エラー状態を示す障害情報（たとえば、エラーメッセージ）を作成し（ステップＳ６２）、通信インタフェース部３５を介して、予め登録された外部通信装置（たとえば、ホスト機器９１及び管理端末９４）に宛ててその障害情報を送信する（ステップＳ６３）。これにより、たとえば、オペレータまたは保守管理員は、エラー状態の解除を促される。この場合、エラー状態は解除されておらず、修理などの処置が施されていない。このため、エラー発生ユニットは使用不能状態にあり、このエラー発生ユニットへのメイン電源供給は不要である。その後、給電制御部３１は、図１１のステップＳ７１に処理を移行させる。
【００８０】
図１１を参照すると、障害情報の送信（ステップＳ４９，Ｓ５９またはＳ６３）の後、表示操作制御部４１は、再発したエラー状態を示すエラー情報を表示モジュール４３に表示させ（ステップＳ７１）、表示モジュール４３に取り付けられたアラームランプ（図示せず）を点灯または点滅させる（ステップＳ７２）。これにより、オペレータは、エラー状態が解除されていないことを通知される。
【００８１】
次に、給電制御部３１は、メイン電源制御部２１Ａを制御して正常ユニットへのメイン電源供給を実行させる（ステップＳ７３）。
【００８２】
その後、表示操作制御部４１は、表示モジュール４３に機能限定付きの操作画面を表示させる（ステップＳ７５）。具体的には、表示操作制御部４１は、画像読み取りユニット５０及び印刷ユニット６０の機能の使用可否を表す操作画面を表示部４３１（図２）に表示させる。このとき、エラー状態が解除されず機能が限定された処理ユニットについては、表示部４３１での表示内容を灰色で表示してもよい。また、画像読み取りユニット５０の機能が使用できないときは、表示部４３１での読み取り操作に関するメニュー表示を灰色にしてもよい。この場合は、表示部４３１には、読み取り機能及びコピー機能は使用不可であることが表示され、印刷機能は使用可能であることが表示される。また、第２の要介入処理（図１０）が実行された場合には、たとえば、「サービスコールエラーのために、印刷ユニットが使用できない」旨のエラーメッセージが表示部４３１に表示されてもよい。
【００８３】
次に、給電制御部３１は、タイマを起動して一定の設定時間Ｔ３の間、待機する（ステップＳ７６のＮＯ及びステップＳ７７のＮＯ）。設定時間Ｔ３が経過してもユーザによる操作入力が無い場合（ステップＳ７６のＹＥＳ）、給電制御部３１は、図７のステップＳ２０に処理を移行させる。
【００８４】
一方、設定時間Ｔ３が経過する前にユーザによる操作入力があった場合（ステップＳ７７のＹＥＳ）、当該操作入力の種類に応じた処理が実行される。当該操作入力が印刷指示の場合には、印刷制御部６１は印刷制御を実行し（ステップＳ７８）、当該操作入力が読み取り指示（スキャン指示）の場合には、読み取り制御部５１は読み取り制御を実行し（ステップＳ７９）、当該操作入力がコピー指示の場合には、読み取り制御部５１及び印刷制御部６１は互いに連携してコピー制御を実行する（ステップＳ８０）。ステップＳ７８，Ｓ７９，Ｓ８０のいずれかが実行された後は、図７のステップＳ２０に処理が移行する。また、ステップＳ７７で検出された操作入力がキャンセル指示の場合には、給電制御部３１は、図７のステップＳ２０に処理を移行させる。
【００８５】
上記ステップＳ７８，Ｓ７９，Ｓ８０で、エラー状態が解消していない機能モジュールや処理ユニットは、動作せず、使用されない。たとえば、印刷ユニット６０の印刷機能が使用できなくても、画像読み取りユニット５０の読み取り機能は使用可能である。また、トレイモジュール６５２から取り出された被印刷媒体Ｐａのジャム状態が発生し、そのジャム状態が解除されていない状況でも、ＭＰＴ６５５から被印刷媒体を供給することはできる。
【００８６】
なお、上記ステップＳ７１，Ｓ７５は、表示モジュール４３自体にエラー状態が生じないことを前提とした手順であるが、これに限定されるものではない。表示モジュール４３自体にエラー状態が生じた場合は、表示モジュール４３にエラー情報及び操作画面は表示されない。
【００８７】
以上に説明したように実施の形態１の給電制御部３１は、電源再投入に応じてテーブル記憶部３４Ｔを参照し、エラー状態に応じて複数種の省電力制御処理の中から最適なエラー対応処理を選択し、このエラー対応処理に従ってエラー発生ユニットへの電力供給を制限する。このため、エラー状態に応じて処理ユニットへの電力供給を適応的に制御することができる。したがって、従来技術と比べて高い省電力効果を得ることが可能となる。
【００８８】
また、エラー対応処理として自動復旧処理（図８）が選択された場合は、給電制御部３１は、エラー発生ユニットの初期化（初期動作）によりエラー状態の解消を試みた後に（ステップＳ４１，Ｓ４２）、初期化によってもエラー状態が解消されない機能モジュールへの給電だけを遮断する（ステップＳ４６，Ｓ４７）。また、第１の要介入処理（図９）が選択された場合にも、エラー状態が解消されない機能モジュールへの給電だけが遮断される（ステップＳ５６，Ｓ５７）。第２の要介入処理（図１０）が選択された場合には、重症度の比較的高いエラー状態を有する処理ユニットへのメイン電源供給がなされない（ステップＳ６１）。このように、本実施の形態の画像形成装置１は、エラー状態に応じて、電力消費を伴う処理ユニットの初期化をできるだけ回避することができ、不要な電力消費を極力抑制することができる。
【００８９】
実施の形態２．
次に、本発明に係る実施の形態２について説明する。図１２は、実施の形態２に係る第２の要介入処理の手順を概略的に示すフローチャートである。本実施の形態の画像形成装置の構成及び動作は、図１０に示した第２の要介入処理に代えて図１２に示す第２の要介入処理を使用する点を除いて、上記実施の形態１の画像形成装置１の構成及び動作と同じである。このため、以下、図１〜図４を参照しつつ実施の形態２について説明する。
【００９０】
本実施の形態では、図１に示した画像読み取りユニット５０及び印刷ユニット６０における機能モジュール５３１〜５３Ｎ，６３１〜６３Ｍの少なくとも１つの機能モジュールが識別タグを有し、この識別タグを使用して第２の要介入処理（図１２）を行うことが特徴である。
【００９１】
識別タグは、メモリ及び通信回路を含むＩＣチップからなり、当該機能モジュールに割り当てられた識別子情報などのタグ情報がそのメモリに格納されている。給電制御部３１は、識別タグから検出されたタグ情報の供給を受ける。図３に示した印刷ユニット６０の場合は、印刷制御部６１が、画像形成部６０１及び定着器６６０の識別タグＴｇ１，Ｔｇ２からそれぞれタグ情報を検出し、これらタグ情報を表示操作制御部４１を介して給電制御部３１に与える。
【００９２】
図７に示したようにエラー対応処理として第２の要介入処理が選択された場合には（ステップＳ２６，Ｓ２７）、図１２に示す第２の要介入処理が実行される。
【００９３】
図１２を参照すると、給電制御部３１は、メイン電源制御部２１Ａを制御して、当該エラー状態が検出された処理ユニット（以下「エラー発生ユニット」と呼ぶ。）へのメイン電源供給を実行させる（ステップＳ８１）。次いで、給電制御部３１は、エラー発生ユニットからのタグ情報の取得を試みる（ステップＳ８２）。たとえば、給電制御部３１は、印刷ユニット６０がエラー発生ユニットである場合は、この印刷ユニット６０の印刷制御部６１に対してタグ情報を要求し、識別タグＴｇ１，Ｔｇ２内のタグ情報を取得することができる。
【００９４】
なお、ステップＳ８１でのメイン電源供給は、識別タグからタグ情報を検出（センス）するために行われる。このため、タグ情報検出部（図示せず）に対する電源系統がメイン電源系統とは異なる場合は、タグ情報検出部のみに電力を供給すればよい。
【００９５】
上記タグ情報が検出されないときは（ステップＳ８３のＮＯ）、給電制御部３１は、エラー発生ユニットへの電力供給を遮断させる（ステップＳ９０）。次いで、状態情報生成部３１Ａは、当該エラー状態を示す障害情報（たとえば、エラーメッセージ）を作成し（ステップＳ９１）、通信インタフェース部３５を介して、予め登録された外部通信装置（たとえば、ホスト機器９１及び管理端末９４）に宛ててその障害情報を送信する（ステップＳ９２）。これにより、たとえば、オペレータまたは保守管理員は、エラー状態を容易に知ることができ、そのエラー状態の解除を促される。その後、給電制御部３１は、図１１のステップＳ７１に処理を移行させる。
【００９６】
一方、タグ情報が検出されたときは（ステップＳ８３のＹＥＳ）、給電制御部３１は、さらに、当該タグ情報が電源再投入前のタグ情報から変化したか否かを判定する（ステップＳ８４）。たとえば、タグ情報に含まれる識別子情報が電源再投入前の識別子情報と一致しない場合に、タグ情報が変化したと判定することができる。電源再投入前のタグ情報は、不揮発性メモリ３４に格納されているので、給電制御部３１は、不揮発性メモリ３４にアクセスしてそのタグ情報を取得することができる。
【００９７】
検出されたタグ情報が変化していない場合は（ステップＳ８４のＮＯ）、ステップＳ９０〜Ｓ９３が実行された後に、図１１のステップＳ７１に処理が移行する。
【００９８】
一方、検出されたタグ情報が変化していた場合は（ステップＳ８４のＹＥＳ）、給電制御部３１は、そのタグ情報で特定される機能モジュールが交換されたと判定する（ステップＳ８５）。たとえば、電源再投入前にエラー状態が発生していた定着器６６０に割り当てられたタグ情報が変化していた場合、その定着器６６０は交換されたものと判定される。また、印刷データに応じた印刷準備が始まると、定着器６６０の加熱が開始される。所定の時間が経過しても加熱ローラ６６１の温度が上昇しない場合は、定着器６６０の熱源が正常に動作しないこと（ハロゲンランプ切れなど）がその原因として存在し、定着器６６０に低温エラー状態が生じる。このとき、そのエラー情報がエラー情報記憶部３４Ｅに記憶される。このような状況で、オートオフモード中に定着器６６０の交換がされていると、電源再投入時に、給電制御部３１がサービスコールを要する第２の要介入処理を選択した（図７のステップＳ２６，Ｓ２７）としても、検出されたタグ情報の変化が検出される（ステップＳ８４のＹＥＳ）。
【００９９】
次いで、給電制御部３１は、交換された機能モジュールを含む処理ユニットを初期化する（ステップＳ８６）。この初期化によりエラー状態が発生した場合は（ステップＳ８７のＹＥＳ）、ステップＳ９０〜Ｓ９２が実行された後に、図１１のステップＳ７１に処理が移行する。一方、エラー状態が発生しない場合は（ステップＳ８７のＮＯ）、給電制御部３１は、そのエラー状態を示すエラー情報をエラー情報記憶部３４Ｅから削除（クリア）し（ステップＳ８８）、そのエラー状態が解除された処理ユニットを正常ユニットに分類する（ステップＳ８９）。その後、図７のステップＳ１３に処理が移行する。
【０１００】
なお、識別タグには、識別子情報の他に、たとえば、機能モジュールの使用量（たとえば、印刷枚数）、エラー履歴、新品／中古品のいずれか、並びに、正常品／修理後の正常品／未修理品のいずれかを示すタグ情報を格納することもできる。ステップＳ８６では、タグ情報の内容（たとえば、新品／中古品及び正常品／修理後の正常品／未修理品）に応じた初期化が実行されてもよい。
【０１０１】
以上に説明したように実施の形態２では、電源再投入の前後で、機能モジュールの識別タグに記憶されているタグ情報が変化しないときは（図１２のステップＳ８４のＮＯ）、給電制御部３１は、重症度の高いエラー発生ユニットのエラー状態の原因が解消されていないと判断して当該機能モジュールへの給電を遮断することができる（ステップＳ９０）。この場合には、電力消費を伴うエラー発生ユニットの初期化を確実に回避することが可能である。したがって、タグ情報を利用して、実施の形態１の場合よりもさらに高い省電力効果を得ることができる。
【０１０２】
以上、図面を参照して本発明に係る実施の形態について述べたが、これらは本発明の例示であり、上記以外の様々な形態を採用することもできる。たとえば、上記実施の形態１，２では、印刷ユニット６０として電子写真方式で動作する印刷装置が使用されるが、これに限定されるものではない。電子写真方式以外の他の印刷方式（たとえば、インクジェット方式）で動作する印刷装置が使用されてもよい。
【符号の説明】
【０１０３】
１  画像形成装置；  １０  交流電源；  １１  ＡＣスイッチ（交流スイッチ）；  ２０  電源装置；  ２１  サブ電源部；  ２１Ａ  メイン電源制御部；  ２２  メイン電源部；  ２３，２４，２５  給電部；  ３０  コントロールパネルユニット；  ３１  給電制御部；  ３１Ａ  状態情報生成部；  ３２  通信制御部；  ３３  キー入力検出部；  ３４  不揮発性メモリ；  ３４Ｔ  テーブル記憶部；  ３４Ｅ  エラー情報記憶部；  ３５  通信インタフェース部（通信Ｉ／Ｆ部）；  ４０  表示ユニット；  ４１  表示操作制御部；  ４２  省電力電源部；  ４３  表示モジュール；  ４３０  操作パネル；  ４３１  表示部；  ４４  状態検出部；  ５０  画像読み取りユニット；  ５０Ｓ  ホームポジションセンサ；  ５０１  載置テーブル；  ５０２  ラインセンサ；  ５０３  駆動部；  ５０４  信号処理部；  ５１  読み取り制御部；  ５２  省電力電源部；  ５３１〜５３Ｎ，６３１〜６３Ｍ  機能モジュール；  ５４  状態検出部；  ６０  印刷ユニット；  ６０Ｓ  カバー開閉センサ；  ６０１  画像形成部；  ６０２  現像剤収容部；  ６０２Ｓ  現像剤センサ；  ６０４  感光体ドラム；  ６０４Ｓ  ドラムセンサ；  ６０５  帯電ローラ；  ６０６  ＬＥＤ（Ｌｉｇｈｔ−Ｅｍｉｔｔｉｎｇ  Ｄｉｏｄｅ）ヘッド；  ６０７  供給ローラ；  ６０８  現像ローラ；  ６０９  現像ブレード；  ６１０  ドラムクリーニング部；  ６１  印刷制御部；  ６２  省電力電源部；  ６３１〜６３Ｍ  機能モジュール；  ６４  状態検出部；  ６５１  転写ローラ；  ６５２  トレイモジュール；  ６５２Ｓ  トレイセンサ；  ６５３  ホッピングローラ；  ６５３Ｓ  ホッピングセンサ；  ６５４Ｓｆ，６５４Ｓｂ  媒体センサ；  ６５５  ＭＰＴ；  ６５６  ピックアップローラ；  ６５７  フィードローラ；  ６５７Ｓ  媒体センサ；  ６５８  リタードローラ；  ６６０  定着器；  ６６０Ｓ  媒体センサ；  ６６１  加熱ローラ；  ６６１Ｓ  温度センサ；  ６６２  定着ローラ；  ６７４  スタッカ部；  ６７４Ｓ  媒体センサ（スタッカフルセンサ）；  ９１  ホスト機器；  ９２  ＬＡＮ；  ９３  サーバ；  ９４  管理端末。
【図１】
2015041841.tif 000003
【図２】
2015041841.tif 000004
【図３】
2015041841.tif 000005
【図４】
2015041841.tif 000006
【図５】
2015041841.tif 000007
【図６】
2015041841.tif 000008
【図７】
2015041841.tif 000009
【図８】
2015041841.tif 000010
【図９】
2015041841.tif 000011
【図１０】
2015041841.tif 000012
【図１１】
2015041841.tif 000013
【図１２】
2015041841.tif 000014